(57)【要約】【課題】形状を単純化したクリップ帯状体を提供し、当該クリップ帯状体で形成した単純化したクリップを提供すること。【解決手段】袋口部を結束するためのクリップ片１１Ａ〜１１Ｘを連結部１３で複数個直列に連結したシート状のクリップ帯状体１０であって、前記クリップ片は前記袋口部の結束外周より若干長い長さを有する細長帯状体で形成する。使用に際しては、該クリップ片１１Ａを、連結部１３から切り離し、Ｖ字状の切り欠き溝１２ａ及び１２ｂの部分で折り曲げ、その両端部を互いに結合させることにより包装用の袋口部を結束させる。【選択図】　　　図１
2004067170.tif 000002
【特許請求の範囲】
【請求項１】
袋口部を結束するためのクリップ片を複数個直列に連結したシート状のクリップ帯状体であって、前記クリップ片は前記袋口部の結束外周より若干長い長さを有する細長帯状体で形成されていることを特徴とするクリップ帯状体。
【請求項２】
上記細長帯状体は、ほぼ中間位置からそれぞれ所定距離離れて、所定角度の切欠き溝が幅方向に、長さ方向に垂直な中心線に対して左右対称に形成され、前記切欠き溝から折曲できることを特徴とする請求項１記載のクリップ帯状体。
【請求項３】
一辺が他辺のほぼ２倍の長さを有するほぼ横Ｖ字乃至Ｕ字状のクリップ片を複数個直列に連結したシート状のクリップ帯状体であって、前記長辺はそのほぼ中間部付近で折曲された際に該折曲片が他の短辺と交差して袋口部を結束し得る長さを有することを特徴とするクリップ帯状体。
【請求項４】
ほぼ横Ｖ字乃至Ｕ字状のクリップ部片を複数個直列に連結した同一形状の２枚のシート状帯状体によりクリップが形成されるクリップ帯状体であって、前記各帯状体のクリップ部片は、前記一方の帯状体のクリップ部片を１８０度回転させて他の帯状体のクリップ部片と対向させた際に形成される空間部で袋口部を結束する長さを有していることを特徴とするクリップ帯状体。
【請求項５】
一辺が他の辺より若干長い長さを有するほぼ横Ｖ字乃至Ｕ字状クリップ部片を複数個直列に連結した同一形状の２枚のシート状帯状体によりクリップが形成されるクリップ帯状体であって、前記各帯状体のクリップ部片は、前記一方の帯状体のクリップ部片を１８０度回転させて他の帯状体のクリップ部片と前記短辺で重ね、前記長辺で交差するように対向させた際に形成される空間部で袋口部を結束する長さを有していることを特徴とするクリップ帯状体。
【請求項６】
上記クリップ片又はクリップ部片を連結する連結部は、連結方向と直交する方向に入れた切込みであることを特徴とする請求項１〜５の何れか記載のクリップ帯状体。
【請求項７】
請求項１〜６の何れか記載のクリップ帯状体の連結部から切離されたクリップ片又はクリップ部片からなるクリップ。
【発明の詳細な説明】
【０００１】
【発明の属する技術分野】
本発明は、野菜、果物等を包装するポリ袋、ネット袋、紙袋等の包装用袋の口部を結束して口止めするクリップを複数個直列に連結したクリップ帯状体及びこの帯状体から切離し形成されたクリップに関する。
【０００２】
【従来の技術】
従来から、ポリ袋、ネット袋、紙袋等の包装用袋の口部を結束して口止めするクリップを複数個直列に連結したクリップ帯状体が知られている。例えば特開２０００−１７９５１０号に記載されたものがその一例である。図８は、この公報に記載されたクリップ帯状体を示し、同図（Ａ）は平面図、同図（Ｂ）はクリップで袋の口部を結束した状態を示した説明図である。
【０００３】
このクリップ帯状体３は、図８（Ａ）に示すように、一対の脚部１ｂ、１ｂを有するシート状のクリップ片１が連結部２によって複数個直列に連結されている。クリップ帯状体３の先頭のクリップ片１Ａは、カッター等によって連結部２、２から切離され、各脚部１ｂ、１ｂで袋口部を挟み込ませるとともに、図８（Ｂ）に示すように、脚部１ｂ、１ｂが互いに交差して重ね合わされ、この重ね合わせ部の一部がダボ出しされ、このダボ１ｖをかしめることにより口部が結束されるものである。
【０００４】
【発明が解決しようとする課題】
しかしながら、このクリップ帯状体は、全体的に複雑な形状を有しており、そのため材料加工等が面倒で製造コストが高くなり、しかも、各脚部を交差させて互いに係合させることも面倒で扱い難かった。
【０００５】
本発明は、この従来技術が抱える課題を解決するためになされたものであり、その発明の目的は、形状を単純化し、使用材料を少なくしたクリップ帯状体を提供することにある。
本発明の他の目的は、上記クリップ帯状体で形成した単純化し再使用できるクリップを提供することにある。
【０００６】
【課題を解決するための手段】
本発明の上記目的は、以下の構成・手段によって達成できる。すなわち、本発明のクリップ帯状体は、袋口部を結束するためのクリップ片を複数個直列に連結したシート状のクリップ帯状体であって、前記クリップ片は前記袋口部の結束外周より若干長い長さを有する細長帯状体で形成されていることを特徴とする。
上記細長帯状体は、ほぼ中間位置からそれぞれ所定距離離れて、所定角度の切欠き溝が幅方向に、長さ方向に垂直な中心線に対して左右対称に形成されていることが好ましい。
【０００７】
このクリップ帯状体は、ロール状に巻かれて結束機（図示せず）の収納室に収納され、この収納室からクリップ帯状体が結束位置へ順次送り出され、送り出されたクリップ帯状体の先頭のクリップ片は、連結部がカッターによって切断され、クリップ帯状体から切離される。次いで、このクリップ片は、所定の位置、例えばＶ字状溝の部分から折り曲げられ、包装用の袋口部を結束し、且つこのクリップ片の両端部は互いに結合される。
【０００８】
また、本発明のクリップ帯状体は、一辺が他辺のほぼ２倍の長さを有するほぼ横Ｖ字乃至Ｕ字状のクリップ片を複数個直列に連結したシート状のクリップ帯状体であって、前記長辺はそのほぼ中間部付近で折曲された際に該折曲片が他の短辺と交差して袋口部を結束し得る長さを有することを特徴とする。
このクリップ帯状体の先頭のクリップ片は、各連結部がカッターによって切断され、クリップ帯状体から切離される。次いで、このクリップ片は、所定の部分から折り曲げられ、包装用の袋口部を結束する。この結束により、クリップ片の帯状片は、短辺の帯状片と交差することになり、この交差面を結合手段により固着する。
【０００９】
更に、本発明のクリップ帯状体は、ほぼ横Ｖ字乃至Ｕ字状のクリップ部片を複数個直列に連結した同一形状の２枚のシート状帯状体によりクリップが形成されるクリップ帯状体であって、前記各帯状体のクリップ部片は、前記一方の帯状体のクリップ部片を１８０度回転させて他の帯状体のクリップ部片と対向させた際に形成される空間部で袋口部を結束し得る長さを有していることを特徴とする。
【００１０】
更にまた、本発明のクリップ帯状体は、一辺が他の辺より若干長い長さを有するほぼ横Ｖ字乃至Ｕ字状クリップ部片を複数個直列に連結した同一形状の２枚のシート状帯状体によりクリップが形成されるクリップ帯状体であって、前記各帯状体のクリップ部片は、該一方の帯状体のクリップ部片を１８０度回転させて他の帯状体のクリップ部片と前記短辺で重ね、前記長辺で交差するように対向させた際に形成される空間部で袋口部を結束する長さを有していることを特徴とする。
【００１１】
この態様においては、このクリップ部片を備えた帯状体を２枚準備し、それぞれロール状に巻いて結束機（図示せず）の収納室に収納し、この収納室から各帯状体がほぼ同時に包装用の袋口を結束する方向へ順次送り出す。送り出されたクリップ帯状体の先頭のクリップ部片は、互いに接近し横Ｖ字型端部において接触すると同時に包装用の袋口を結束する。この結束状態で横Ｖ字型端部の接触面の一方又は双方を結合する。
【００１２】
上記クリップ片又はクリップ部片を連結する連結部は、連結方向と直交する方向に入れた切込みであることが好ましい。
連結部を楔状の切込みで形成することにより、連結部の長さはほぼ零に近くなり、材料の節約になると共に、帯状体からクリップ片又はクリップ部片を切離した際にバリが発生しても、そのバリは薄く延びた状態となって、端部バリには鋭いエッジが発生せず、バリが柔らかく、したがって、バリに指が引っ掛かったりすることがなく、不快感を与えることがない。
【００１３】
本発明のクリップは、また上記何らかのクリップ帯状体の連結部から切離されたクリップ片又はクリップ部片からなるクリップであることを特徴とする。
【００１４】
【発明の実施の形態】
以下、本発明のクリップ帯状体の実施の形態を図面を参照して説明する。なお、本発明は、この図面に記載された形態に限定されることなく、特許請求の範囲に記載された発明の範囲で種々の変更が可能であり、それらも本発明の範囲に包含されるものであることは言うまでもない。
【００１５】
図１は、本発明の第１実施形態のクリップ帯状体を示す平面図、図２は図１のクリップ帯状体から切離された１つのクリップ片を示し、同図（Ａ）は平面図、同図（Ｂ）は側面図、同図（Ｃ）は組立てたクリップの外観斜視図である。
【００１６】
クリップ帯状体１０は、図１に示すように、所定の幅、厚さ及び長さを有する帯状体１１であって、合成樹脂、紙等の材料からなり、複数のクリップ片１１Ａ〜１１Ｘがそれぞれ接続細片からなる連結部１３、１３を介して直列に連結されている。各クリップ片１１Ａ〜１１Ｘは、同一形状の帯状細片からなり、図２（Ａ）に示すように、所定の横幅Ｗ及び縦幅Ｙを有している。図１における連結部１３、１３は、所定の長さを有する接続細片であるが、このような細片を設けることなく楔状の切込みで形成してもよい。連結部を楔状の切込みで形成することにより、連結部の長さはほぼ零に近くなり、材料の節約になると共に、帯状体からクリップ片を切離した際にバリが発生しても、そのバリは薄く延びた状態となって、端部バリには鋭いエッジが発生せず、バリが柔らかく、したがって、バリに指が引っ掛かったりすることがなく、不快感を与えることがない。
【００１７】
各クリップ片１１Ａ〜１１Ｘは、その一つのクリップ片１１Ａが図２（Ａ）に代表して示されているように、その一辺、すなわち図２（Ａ）にみられる横幅において、横幅Ｗを例えば７ωに細分しＷ＝７ωとしたとき、両端からそれぞれ３ω離れた位置において、傾斜角αが約６０度傾斜したほぼＶ字状の切欠き溝１２ａ、１２ｂが形成される。この切欠き溝１２ａ、１２ｂは、帯状体１１の表面から裏面に向けて切り欠かれるが、裏面の肉厚の一部は残され、切断されていない。
【００１８】
このＶ字状の切欠き溝１２ａ、１２ｂが形成されたことにより、クリップ片１１Ａは、３つの部片１１ａ１〜１１ａ３に分かれ、折曲変形が容易になる。勿論、帯状体が薄いフィルム状のものである場合は、この切欠き溝を設ける必要はない。なお、上記クリップ片の傾斜角αは、約６０度であったが、この角度に限定されず、任意の角度、例えば４５度等の任意角度に選定できる。
【００１９】
このクリップ帯状体１０は、ロール状に巻かれて結束機（図示せず）の収納室に収納され、この収納室からクリップ帯状体１０が結束位置へ順次送り出される。送り出されたクリップ帯状体１０の先頭のクリップ片１１Ａは、連結部１３、１３がカッターによって切断され、クリップ帯状体１０から切離される。次いで、このクリップ片１１Ａは、Ｖ字状溝１２ａ、１２ｂの部分から折り曲げられ、包装用の袋口部を結束し、且つクリップ片１１Ａの部片１１ａ１、１１ａ３の両端部は互いに結合される。この結合は、粘着材による貼着、両部材の溶着等、カシメ結合等、任意の結合手段が採用される。また、クリップ片１１Ａの部片１１ａ１、１１ａ３の両端部を互いに結合することなくばね接触させることもできる。このばね接触により、このクリップは再使用できることになる。
【００２０】
クリップ片１１ＡがＶ字状溝１２ａ、１２ｂの部分から折り曲げられ、包装用の袋口部を結束し、クリップ片の両端部が互いに結合されると、クリップ１１Ａの形状は、図２（Ｃ）にみられるような形状となる。すなわち、クリップ片１１Ａは、部片１１部片１１ａ２を底辺にして左右の部片１１ａ１、１１ａ３が互いに交差され、この交差によって形成された空間部で袋口部が結束されることになる。袋口部の結束力は、上記の切欠き溝１２ａ、１２ｂの角度により調整でき、該切欠き溝の角度を選択することにより任意の拘束力を得ることができる。図３は、このクリップ１１Ａが袋口部に装着された状態を示している。
【００２１】
このクリップ帯状体１０によると、各クリップ片１１Ａ〜１１Ｘは、帯状細片で形成されているので、各クリップ片の形状が単純であるばかりでなく、材料の無駄を無くすることができる。例えば、従来のクリップ帯状体３（図８参照）と比べると、クリップ片は、その表面積で比べても、二分の一乃至三分の一になるので、全体として使用材料を低減できる。また、連結部１３、１３を楔状の切込みで形成すると更に使用材料を少なくできる。
【００２２】
上記クリップ帯状体は、シート状の帯状体であったが、これに限定されず、所定の直径を有し弾性を有する棒状体であってもよい。また、クリップ片は、その横幅Ｗ、縦幅Ｙ及び厚さ等を使用する包装袋の用途に応じて、長く、短く、或いは太く、細く等々、任意に変更される。
【００２３】
図４は、本発明の第２の実施形態のクリップ帯状体を示し、同図（Ａ）は平面図、同図（Ｂ）は同図（Ａ）のクリップ帯状体から切離された１つのクリップ片を示す平面図、同図（Ｃ）は同図（Ｂ）のクリップ片で袋口部を結束した状態を示すクリップの説明図である。
【００２４】
このクリップ帯状体３０は、複数のクリップ片３１Ａ〜３１Ｘが所定の角度、例えば６０度をなし、所定の幅を有するＶ字型の帯状片からなるブーメラン形状を有し、それぞれ連結部３３、３３で連結される。図４の連結部３３、３３は、所定の長さを有する細片であるが、このような細片を設けることなく楔状の切込みで形成してもよい。
【００２５】
各クリップ片３１Ａ〜３１Ｘは、その一つのクリップ片３１Ａを図６（Ｂ）に代表して示したように、Ｖ字型帯状片の一辺が他の辺より長い短辺と長辺とで形成され、長辺の帯状片のほぼ中間部にＶ字状溝３４が形成される。このＶ字状溝３４は、長い帯状片のほぼ中間部に設けられているので、この溝３４から帯状片３１ａ３を折り曲げると、帯状片３１ａ３は短辺の帯状片３１ａ１と交差することになる。
【００２６】
このクリップ帯状体３０は、ロール状に巻かれて結束機（図示せず）の収納室に収納され、この収納室からクリップ帯状体３０が結束位置へ順次送り出される。送り出されたクリップ帯状体の先頭のクリップ片３１Ａは、各連結部３３、３３がカッターによって切断され、クリップ帯状体３０から切離される。次いで、このクリップ片３１Ａは、Ｖ字状溝３４の部分からＸ方向へ折り曲げられ、包装用の袋口部を結束する。この結束により、クリップ片３１Ａの帯状片３１ａ３は、短辺の帯状片３１ａ１と交差することになり、この交差面３５を結合手段により固着する。クリップ片を結合することなくばね接触させることもできる。このばね接触により、このクリップは再使用できることになる。
【００２７】
この結合手段は、粘着材による貼着、両部材の溶着等、カシメ結合等、任意の結合手段が採用される。なお、帯状体が薄いフィルム状のものであるあって、折曲が容易な場合は、このＶ字状溝は不要である。上記クリップ帯状体は、シート状の帯状体であったが、これに限定されず、所定の直径を有し弾性を有する棒状体であってもよい。このクリップ片で袋口部６０を結束すると、図４（Ｃ）に示すとおりの状態で結束される。
【００２８】
図５は、本発明の第３の実施形態のクリップ帯状体を示し、同図（Ａ）はクップ帯状体の平面図、同図（Ｂ）は同図（Ａ）のクリップ帯状体を用い包装用の袋口部結束を説明する説明図、同図（Ｃ）は同図（Ｂ）のクリップ片で包装用の袋口部を結束したクリップの説明図である。
【００２９】
このクリップ帯状体は、同一形状を有する２枚の帯状体４０、４０’からなり、合成樹脂材料、紙材料等で形成される。各帯状体４０、４０’は、それぞれ複数個のクリップ部片４１Ａ〜４１Ｘ、４１Ａ’〜４１Ｘ’を有し、各クリップ片は所定の幅を有しほぼ横Ｖ字状乃至Ｕ字状の細片からなり、連結部４３、４３’を介して直列に連結されている。図５の連結部４３、４３は、所定の長さを有する細片であるが、このような細片を設けることなく楔状の切込みで形成してもよい。各帯状体４０、４０’は、それぞれロール状に巻かれ結束機（図示せず）の収納室に収納され、この収納室から各帯状体４０、４０’がほぼ同時に包装用の袋口６０を結束する方向Ｘ、Ｘ’へ順次送り出される。送り出されたクリップ帯状体の先頭のクリップ片部４１Ａ、４１Ａ’は、互いに接近して横Ｖ字型端部において接触すると同時に包装用の袋口６０を結束する。この結束状態で横Ｖ字型端部の接触面の一方を結合する。この結合手段は、粘着材による貼着、両部材の溶着等、カシメ結合等、任意の結合手段が採用される。
【００３０】
次いで、各クリップ部片４１Ａ、４１Ａ’は、それぞれの連結部４３、４３’がカッターによって切断され、各クリップ帯状体４０、４０’から切離される。各クリップ部片４１Ａ、４１Ａ’は、横Ｖ字型端部の接触面の一方を結合され、他方の接触面が結合されていないので、各クリップ部片４１Ａ、４１Ａ’で形成したクリップは再使用できることになる。勿論、双方の接触面を結合してもよい。図６は、このクリップ４１Ａが袋口部に装着された状態を示している。
【００３１】
図７は、本発明の第４の実施形態のクリップ帯状体を示し、同図（Ａ）はクップ帯状体及び該クリップ帯状体を用い包装用の袋口部結束を説明する平面図、同図（Ｂ）は同図（Ａ）のクリップ片で包装用の袋口部を結束したクリップの平面図である。
【００３２】
このクリップ帯状体は、同一形状を有する２枚の帯状体５０、５０’からなり、合成樹脂材料、紙材料等で形成される。各帯状体５０、５０’は、それぞれ複数個のクリップ部片５１Ａ〜５１Ｘ、５１Ａ’〜５１Ｘ’を有し、連結部５３、５３’を介して連結されている。各クリップ部片５１Ａ〜５１Ｘ、５１Ａ’〜５１Ｘ’は、その一対のクリップ部片５１Ａ，５１Ａ’に代表されるように、一方の辺が他の辺より長い、すなわち長辺５１ａ２、５１ａ２’と短辺５１ａ１、５１ａ１’とからなるほぼ横Ｖ字或いはＵ字状の細片からなり、連結部５３、５３’を介して直列に連結されている。なお、図７の連結部５３、５３’は、所定の長さを有する接続細片であるが、このような細片を設けることなく楔状の切込みで形成してもよい。
【００３３】
各帯状体５０、５０’は、それぞれロール状に巻かれ結束機（図示せず）の収納室に収納され、この収納室から各帯状体５０、５０’がほぼ同時に包装用の袋口６０を結束する方向Ｘ、Ｘ’へ順次送り出される。送り出されたクリップ帯状体の先頭のクリップ片５１Ａ、５１Ａ’は、互いに接近して横Ｖ字型端部において接触すると同時に包装用の袋口６０を結束する。この結束状態で各短辺５１ａ１、５１ａ１’が重なり、この重なり部分を結合する。この結合手段は、粘着材による貼着、両部材の溶着等、カシメ結合等、任意の結合手段が採用される。
【００３４】
次いで、各クリップ部片５１Ａ、５１Ａ’は、それぞれの連結部５３、５３’がカッターによって切断され、各クリップ帯状体５０、５０’から切離される。各クリップ部片５１Ａ、５１Ａ’は、各短辺５１ａ１、５１ａ１’が結合され、各長辺５１ａ２、５１ａ２’は互いに交差しているだけなので、各クリップ部片５１Ａ、５１Ａ’で形成したクリップは再使用できることになる。
【００３５】
【発明の効果】
以上説明したように、本発明のクリップ帯状体は、クリップ片が単純な形状の細長帯状、ほぼ横Ｖ字形状、ほぼＵ字形状をなしているので、形状を単純化したクリップ帯状体及びクリップを提供することができる。
【図面の簡単な説明】
【図１】本発明の第１実施形態のクリップ帯状体を示す平面図である。
【図２】図１のクリップ帯状体から切離された１つのクリップ片を示し、同図（Ａ）は平面図、同図（Ｂ）は側面図、同図（Ｃ）は組立てたクリップの外観斜視図である。
【図３】図２（Ｃ）のクリップ片が袋口部に装着された状態の外観斜視図であ
【図４】本発明の第２の実施形態のクリップ帯状体を示し、同図（Ａ）はクリップ帯状体の平面図、同図（Ｂ）は同図（Ａ）のクリップ帯状体から切離された１つのクリップ片を示す平面図、同図（Ｃ）は同図（Ｂ）のクリップ片で袋口部を結束した状態を示すクリップの説明図である。
【図５】本発明の第３の実施形態のクリップ帯状体を示し、同図（Ａ）はクリップ帯状体の平面図、同図（Ｂ）は同図（Ａ）のクリップ帯状体を用い袋口部の結束を説明する説明図、同図（Ｃ）は同図（Ｂ）のクリップ片で包装用の袋口部を結束したクリップの説明図である。
【図６】図５のクリップ片で袋口部を結束した状態を示すクリップの説明図である。
【図７】図７は、本発明の第４の実施形態のクリップ帯状体を示し、同図（Ａ）はクップ帯状体及び該クリップ帯状体を用い包装用の袋口部結束を説明する平面図、同図（Ｂ）は同図（Ａ）のクリップ片で包装用の袋口部を結束したクリップの平面図である。
【図８】図８（Ａ）は従来技術のクリップ帯状体を示す平面図であり、図８（Ｂ）は図８（Ａ）のクリップ帯状体をクリップ片で袋口部を結束した状態を示すクリップの外観斜視図である。
【符号の説明】
１０、２０、３０、４０、５０　　　クリップ帯状体
１１、２１、３１、４１、５１　　　帯状体
１１Ａ〜１１Ｘ　　クリップ片
２１Ａ〜２１Ｘ　　クリップ片
３１Ａ〜３１Ｘ　　クリップ片
４１Ａ〜４１Ｘ　　クリップ部片
４１Ａ’〜４１Ｘ’　　クリップ部片
５１Ａ〜５１Ｘ　　クリップ部片
５１Ａ’〜５１Ｘ’　　クリップ部片
１２ａ、１２ｂ　　切欠き溝
１３、３３、４３、５３　　　連結部
【図１】
2004067170.tif 000003
【図２】
2004067170.tif 000004
【図３】
2004067170.tif 000005
【図４】
2004067170.tif 000006
【図５】
2004067170.tif 000007
【図６】
2004067170.tif 000008
【図７】
2004067170.tif 000009
【図８】
2004067170.tif 000010